(57)【要約】【課題】  簡易かつ小型で必要な読み取り特性も確保可能な、光記録媒体用の無線タグアンテナ構造を提供する。【解決手段】  誘電体２１と、この誘電体２１の一方の面に形成されたアンテナパターン２２と、誘電体２１の他方の面に形成されたグランドパターン２３とをそなえて成るアンテナ２をそなえ、このアンテナ２の一部又は全部が、レーザ光を反射する金属層１２（１２Ａ，１２Ｂ）と誘電体層１１（１１Ａ，１１Ｂ）とを対称に有する光記録媒体１のレーザ光非入射面側の誘電体層１１（１１Ａ）に埋め込まれるようにする。【選択図】        図１
2006031766.tif 000002
【特許請求の範囲】
【請求項１】
光記録媒体用の無線タグアンテナ構造であって、
誘電体と、
該誘電体の一方の面に形成されたアンテナパターンと、
該誘電体の他方の面に形成され、レーザ光を反射する金属層と該金属層を保護する誘電体層とを対称に有する光記録媒体のレーザ光非入射面側に取り付けられるグランドパターンとをそなえたことを特徴とする、光記録媒体用の無線タグアンテナ構造。
【請求項２】
光記録媒体用の無線タグアンテナ構造であって、
誘電体と、該誘電体の一方の面に形成されたアンテナパターンと、該誘電体の他方の面に形成されたグランドパターンとをそなえて成るアンテナをそなえ、
該アンテナの一部又は全部が、レーザ光を反射する金属層と該金属層を保護する誘電体層とを対称に有する光記録媒体のレーザ光非入射面側の該誘電体層に埋め込まれることを特徴とする、光記録媒体用の無線タグアンテナ構造。
【請求項３】
誘電体の一方の面にアンテナパターンをそなえるとともに、該誘電体の他方の面にグランドパターンをそなえることによりアンテナ構造を構成し、レーザ光非入射面側に誘電体層と金属層とを有する光記録媒体に取り付けられる光記録媒体用の無線タグアンテナ構造であって、
該光記録媒体の該金属層を該グランドパターンとする該アンテナ構造が構成されるべく、該アンテナパターンが、該光記録媒体の該誘電体層の表面又は内部に形成されることを特徴とする、光記録媒体用の無線タグアンテナ構造。
【請求項４】
該誘電体の一方の面に該アンテナパターンが形成された平面型アンテナ部材を有し、
該平面型アンテナ部材の該誘電体の他方の面が該光記録媒体の該金属層と接するよう、該平面型アンテナ部材が該光記録媒体の該誘電体層に埋め込まれることを特徴とする、請求項３記載の光記録媒体用の無線タグアンテナ構造。
【請求項５】
誘電体層と金属層とを有するディスク状の光記録媒体に取り付けられる無線タグ用のアンテナ構造であって、
該光記録媒体における該金属層が形成されていない誘電体層部分にアンテナの一部又は全部が埋め込まれることを特徴とする、光記録媒体用の無線タグアンテナ構造。
【請求項６】
該ディスク状の光記録媒体が、接着層を中心に該誘電体層と該金属層とを対称に有して構成され、該光記録媒体における該金属層が形成されていない該接着層内に該アンテナが埋め込まれることを特徴とする、請求項５記載の光記録媒体用の無線タグアンテナ構造。
【請求項７】
該アンテナが、該ディスク状の光記録媒体の内周部の該誘電体層部分に設けられることを特徴とする、請求項５記載の光記録媒体用の無線タグアンテナ構造。
【請求項８】
該アンテナが、該ディスク状の光記録媒体の内周部の該接着層内に埋め込まれることを特徴とする、請求項６記載の光記録媒体用の無線タグアンテナ構造。
【請求項９】
該アンテナが、該ディスク状の光記録媒体の内周に沿った曲線形状を有する曲線状アンテナとして構成されたことを特徴とする、請求項７又は８に記載の光記録媒体用の無線タグアンテナ構造。
【請求項１０】
誘電体層と金属層とを有し、該金属層が形成されていない誘電体層部分に無線タグ用のアンテナが取り付けられた光記録媒体を収納する収納ケースであって、
該光記録媒体を収納したときの、該アンテナが設けられた部分に相当するケース内面に誘電体が設けられたことを特徴とする、無線タグアンテナ付き光記録媒体の収納ケース。
【発明の詳細な説明】
【技術分野】
【０００１】
本発明は、光記録媒体用の無線タグアンテナ構造および無線タグアンテナ付き光記録媒体の収納ケースに関し、特に、ＤＶＤやＣＤ等のディスク状の光記録媒体に用いて好適な技術に関する。
【背景技術】
【０００２】
リーダライタから高周波の電磁波を送信し、固有情報の記憶されたＩＣ（Integrated Circuit）チップを備えた無線タグでその電磁波を受信し、再びその無線タグからリーダライタに固有情報を送信するという無線タグシステム開発が盛んになっている。無線タグは、例えば本や商品に貼り付けられ、リーダライタに読み取らせることにより、その貼り付け対象物の固有情報を読み取ることができる。あるいは、固有情報を無線タグに書き込むこともできる。無線タグは、通常、ＩＣチップとアンテナとからなり、アンテナで高周波の信号を受信すると、ＩＣチップ内に内蔵された整流部分で例えば３Ｖ（ボルト）程度の直流（ＤＣ）成分に変換され、その電力で信号処理及び送信処理を行なうことができる。無線タグに用いられる周波数は、例えば、１３．５６ＭＨｚ帯をはじめとして、最近では、ＵＨＦ帯（９００ＭＨｚ帯）、２．４５ＧＨｚ帯というように高周波化してきている。
【０００３】
また、無線タグのアンテナには、例えば図１８に示すように、無線信号に対して半波長（λ／２）の長さをもつ平面回路型ダイポールアンテナ１１０が良く用いられる。なお、符号６０はアンテナ１１０が備わったＩＣチップを示し、ここで信号処理や送信処理が行なわれるようになっている。一般に、無線タグでは、アンテナの形状、チップ内消費電力にもよるが、リーダライタからの送信信号が１Ｗ（ワット）程度で１ｍ程度の通信可能距離をもつ。また、ＵＨＦ帯を利用する場合は、１３．５６ＭＨｚ帯や２．４５ＧＨｚ帯よりも通信可能距離を拡大できることが知られている。
【０００４】
ここで、無線タグを利用した従来技術として、他に下記特許文献１〜４により提案されている技術もある。
特許文献１の技術は、あらゆる物品に取り付けることが可能な、盗難防止機能付き物品識別標識とその物品識別標識を使用した物品管理システムを提供することを目的としており、例えば、ＣＤやＤＶＤ等の回転ディスクの回転軸の周りに、ＩＣチップのアンテナを円弧状に取り付けることにより、回転のアンバランス（回転ムラ）を防止しつつ、ＣＤやＤＶＤ等の物品の盗難防止や物流管理を実現している。
【０００５】
特許文献２の技術は、情報記録メディアおよび情報記録メディア駆動装置に関し、例えば当該特許文献２の図１に示されるように、パスワード情報を格納したセキュリティチップと当該チップ用のアンテナとをＣＤ−ＲＯＭのディスクの一部（ＣＤ−ＲＯＭの内側非記録領域）に回転軸の周りに沿って直接埋め込んでおくとともに、当該ＣＤ−ＲＯＭの書き込み及び読み取りを行なう機器（ＣＤ機器）にパスワード認証機能を有する非接触式ＲＦリーダライタを装備しておき、この非接触式ＲＦリーダライタでＣＤ機器にセットされたＣＤ−ＲＯＭのセキュリティチップからパスワードを読み出してパスワード認証が正しく行なわれた場合にのみ、当該ＣＤ機器のセキュリティロックを解除して動作可能とするものである。これにより、音楽ＣＤ等の違法コピーを防止することが可能となる。
【０００６】
特許文献３の技術は、非接触ＩＣタグ及びその製造方法に関するもので、光ディスク等の円形状の物品に貼り付けても、光ディスク等の高速回転時の安定性を損なうことなく、また、読み取り機との交信においても電気的効率に優れ、安定した通信を可能とする非接触式タグを提供することを目的としており、このために、非接触式ＩＣタグの外形をほぼ円形もしくは楕円形状（例えば、光ディスク表面一面を覆うドーナツ状）に形成し、これを光ディスクの表面に貼り付けることが可能になっている。
【０００７】
特許文献４の技術は、共振タグ付き商品ケースに関し、センサーとしての共振タグを付した商品ケースについて、共振タグの不法な取外しを困難にすることを目的とするもので、そのために、例えば、ＣＤの収納（商品）ケースに、当該ケースの表面形状と同形状で一方の面に共振タグを固定した支持板を重ね、この状態でこれらの収納ケース，支持板及び共振タグを包装するようにしている。
【特許文献１】特開２００３−１４１６５０号公報
【特許文献２】特開２０００−５７２９６号公報
【特許文献３】特開２００３−８５５０２号公報
【特許文献４】実開平５−２３２９２号公報
【発明の開示】
【発明が解決しようとする課題】
【０００８】
ここで、ＣＤは情報読み取り面（レーザ光照射面）と反対側（レーベル面）の保護層（誘電体層）が非常に薄いため、この部分に傷を受けると読み取り面側よりも反射層や記録層にダメージを受け易いのが一般的である。したがって、ＣＤのレーベル面に、直接、アンテナを取り付けるのは好ましくない。そこで、ＣＤについては、上記の特許文献１〜３にも開示されているように、記録層の形成されていない内周部に無線タグを取り付けるのが一般的である。
【０００９】
しかしながら、ＤＶＤのようにレーベル面側も情報読み取り面側と同程度の保護層が形成されている光記録媒体では必ずしもその内周部に取り付けるのが最善策ではない。また、内周部への取り付けは取り付け面積に制約があるので、アンテナの曲げ加工等が必要になるため、必ずしも容易ではない。さらに、アンテナに接続されるＩＣチップのインピーダンスは、通常、５００Ω（オーム）程度あるが、通常のダイポールアンテナのインピーダンスは、７２Ω程度であるため、チップとダイポールアンテナをそのまま接続しても、インピーダンス不整合が大きく、通信可能距離が劣化する等の不具合が生じる。
【００１０】
つまり、上記の特許文献１〜３のいずれも、ＣＤやＤＶＤの内側にダイポールアンテナを形成することを開示しているものの、そのままでは、インピーダンスの高い無線タグ用のＩＣチップに接続しても、通信距離が極めて短く、最悪の場合、読み取りできない可能性もある。
本発明は、このような課題に鑑み創案されたもので、簡易かつ小型で必要な読み取り特性も確保可能な技術を提供することを目的とする。
【課題を解決するための手段】
【００１１】
上記の目的を達成するために、本発明の光記録媒体用の無線タグアンテナ構造（請求項１）は、誘電体と、該誘電体の一方の面に形成されたアンテナパターンと、該誘電体の他方の面に形成され、レーザ光を反射する金属層と該金属層を保護する誘電体層とを対称に有する光記録媒体のレーザ光非入射面側に取り付けられるグランドパターンとをそなえたことを特徴としている。
【００１２】
また、本発明の光記録媒体用の無線タグアンテナ構造（請求項２）は、誘電体と、該誘電体の一方の面に形成されたアンテナパターンと、該誘電体の他方の面に形成されたグランドパターンとをそなえて成るアンテナをそなえ、該アンテナの一部又は全部が、レーザ光を反射する金属層と該金属層を保護する誘電体層とを対称に有する光記録媒体のレーザ光非入射面側の該誘電体層に埋め込まれることを特徴としている。
【００１３】
さらに、本発明の光記録媒体用の無線タグアンテナ構造（請求項３）は、誘電体の一方の面にアンテナパターンをそなえるとともに、該誘電体の他方の面にグランドパターンをそなえることによりアンテナ構造を構成し、レーザ光非入射面側に誘電体層と金属層とを有する光記録媒体に取り付けられる光記録媒体用の無線タグアンテナ構造であって、該光記録媒体の該金属層を該グランドパターンとする該アンテナ構造が構成されるべく、該アンテナパターンが、該光記録媒体の該誘電体層の表面又は内部に形成されることを特徴としている。
【００１４】
ここで、該誘電体の一方の面に該アンテナパターンが形成された平面型アンテナ部材を有し、該平面型アンテナ部材の該誘電体の他方の面が該光記録媒体の該金属層と接するよう、該平面型アンテナ部材が該光記録媒体の該誘電体層に埋め込まれるようにしてもよい（請求項４）。
また、本発明の光記録媒体用の無線タグアンテナ構造（請求項５）は、誘電体層と金属層とを有するディスク状の光記録媒体に取り付けられる無線タグ用のアンテナ構造であって、該光記録媒体における該金属層が形成されていない誘電体層部分にアンテナの一部又は全部が埋め込まれることを特徴としている。
【００１５】
ここで、該ディスク状の光記録媒体が、接着層を中心に該誘電体層と該金属層とを対称に有して構成され、該光記録媒体における該金属層が形成されていない該接着層内に該アンテナが埋め込まれるようにしてもよい（請求項６）。
また、該アンテナは、該ディスク状の光記録媒体の内周部の該誘電体層部分に設けることもできるし（請求項７）、該ディスク状の光記録媒体の内周部の該接着層内に埋め込むこともできる（請求項８）。
【００１６】
さらに、該アンテナは、該ディスク状の光記録媒体の内周に沿った曲線形状を有する曲線状アンテナとして構成してもよい（請求項９）。
また、本発明の無線タグアンテナ付き光記録媒体の収納ケース（請求項１０）は、誘電体層と金属層とを有し、該金属層が形成されていない誘電体層部分に無線タグ用のアンテナが取り付けられた光記録媒体を収納する収納ケースであって、該光記録媒体を収納したときの、該アンテナが設けられた部分に相当するケース内面に誘電体が設けられたことを特徴としている。
【発明の効果】
【００１７】
上記の本発明によれば、次のような効果ないし利点が得られる。
(1)ＤＶＤのように金属層と誘電体層とを対称に有する光記録媒体のレーザ光非入射面側の誘電体層に無線タグアンテナを取り付ける構造なので、当該光記録媒体の金属層（反射層や記録層）にダメージを与えることなく安全に、アンテナを簡単に光記録媒体に取り付けることが可能である。よって、大量の光記録媒体を管理する必要がある場合でも、短期間で必要な管理を実現することが可能になる。
【００１８】
(2)光記録媒体の誘電体層内にアンテナの一部又は全部を埋め込んでしまう構造により、無線タグの読み取り機器によって、光記録媒体を１枚１枚管理（生産管理や盗難防止等）することが可能となる。特に、従来のように光記録媒体の収納ケース等の外装に取り付ける場合に比して、数百枚から数千枚の光記録媒体を重ねた状態で一度に一括して読み取りを行なう読み取りシステム等の小型化を図ったり、収納ケース等から光記録媒体自体が抜き取られるような事態をも検知してセキュリティ面の向上を図ったりすることが可能となる。
【００１９】
(3)光記録媒体の金属層をアンテナのグランドパターンとして利用して面型アンテナ構造が構成されるよう、アンテナパターンが、光記録媒体の誘電体層の表面又は内部に形成される構造にすることで、アンテナとしての電気的特性を確保しつつ、アンテナ自体の小型化（薄型化）を図ることができ、コストも削減することができる。
(4)アンテナを光記録媒体の金属層の形成されていない誘電体層部分（例えば、ディスク状光記録媒体の内周部等）に埋め込んでしまう構造により、光記録媒体の生産管理等において当該媒体を何百枚と積み重ねて一度にリーダライタ等による読み取りを行なうような場合でも、余分なスペースが光記録媒体間に生じないため、積み重ねた状態の全体の厚さを光記録媒体本来の厚さ×枚数にすることができ、リーダライタシステムの大規模化を抑制することできる（同じシステムでより多くの枚数の読み取りを一度に行なうことが可能になる）。
【００２０】
(5)光記録媒体を収納したときの、光記録媒体のアンテナが設けられた部分に相当する収納ケース内面に誘電体（例えば、比誘電率が１よりも大きいもの）を設けることで、光記録媒体に取り付けられたアンテナ表面に当該誘電体が密接するので、受信信号の波長短縮を図ることができ、アンテナサイズの小型化を図ることができる。
【発明を実施するための最良の形態】
【００２１】
〔Ａ〕第１実施形態の説明
図１は本発明の第１実施形態としての光記録媒体用の無線タグアンテナ構造を説明するための図で、（Ａ）はディスク状の光記録媒体としてのＤＶＤ（Digital Versatile Disk）の模式的平面図、（Ｂ）は（Ａ）に示すＤＶＤの模式的Ａ矢視断面図である。
この図１に示すように、ＤＶＤ１は、外観上はＣＤ（コンパクトディスク）と同様の構成を有しており、標準化された規格による寸法〔例えば、内径１．５ｃｍ、外径（直径）１２ｃｍ、厚さ０．６ｍｍ〕の２枚のディスクを接着剤により貼り合わせた構造が一般的である。即ち、誘電体基板（誘電体層）１１（１１Ａ，１１Ｂ）の一方の面に光反射面として機能する反射層（金属層）１２（１２Ａ，１２Ｂ）が形成されて成る２枚のディスクを、反射層１２同士が対向するように接着剤（接着層）１３により貼り合わせた構造を有している。なお、この図１では文字，音声，映像，画像，データ等の情報の記録が行なわれる記録層の図示は省略している。
【００２２】
ここで、誘電体基板１１（１１Ａ，１１Ｂ）は、それぞれ、上記の反射層１２及び記録層を保護する保護層としても機能し、例えば、ポリカーボネイトにより形成されるのが一般的であるが、勿論、これに限定されるものではなく、アクリル樹脂等のレーザ光を透過する他の透明樹脂材により形成されることもある。
反射層１２（１２Ａ，１２Ｂ）は、それぞれ、情報読み取り用のレーザ光を反射する層で、例えば、銀や金等の合金材料により構成され、スパッタリング成膜等により誘電体基板１１上に形成される。接着層１３としては、紫外線硬化樹脂が用いられるのが一般的である。
【００２３】
そして、本実施形態では、図１（Ａ）及び（Ｂ）に示すように、このＤＶＤ１の書き込み／読み取り面〔図１（Ｂ）では紙面下側〕とは反対側の印刷面（レーベル面：レーザ光非入射面）を構成する誘電体基板１１（１１Ａ）の一部領域に、パッチアンテナ（平面アンテナ）２及び微小なＩＣチップ（１ｍｍ以下角等：図示省略）を有して成る無線タグを収納するための窪み部（スペース）１１１が形成され、この窪み部１１１にパッチアンテナ２がＩＣチップ（通信回路チップ）とともに収納・固定されるようになっている。なお、以下において、パッチアンテナ２と表記する場合は、当該パッチアンテナ２とＩＣチップとを含む無線タグ全体をも意味することがある。
【００２４】
この窪み部１１１の深さは、パッチアンテナ２のサイズ（厚み）にもよるが、誘電体層１１Ａの厚みと同じ深さ（つまり、反射層１２Ａが一部露出する深さ）か、それ以下（反射層１２Ａにまでは到達しない深さ）に形成される。したがって、パッチアンテナ２は、誘電体基板１１Ａ内に完全に埋め込まれても良いし、その一部がレーベル面上に露出した状態で埋め込まれても良い。もっとも、完全に誘電体基板１１Ａ内に埋設してしまって、レーベルによりその表面を被覆してしまう方が外観上及び後述するリーダライタによる一括読み取り上は好ましい。
【００２５】
なお、ＣＤについても上記と同様にしてパッチアンテナ２を埋め込むことも考えられるが、前述したように、ＣＤでは情報読み取り面（レーザ光照射面）と反対側（レーベル面）の保護層（誘電体層）が非常に薄いため好ましくない。換言すれば、情報の読み取りや書き込みに影響を与えずにパッチアンテナ２を埋設可能な層厚の誘電体層（保護層）をレーザ光非入射面側に具備する光記録媒体であれば、上記と同様に適用可能である。
【００２６】
また、パッチアンテナ２自体は、図１（Ｂ）中に示すように、平板状の誘電体２１と、この誘電体２１の一方の面に形成されたアンテナパターン（アンテナ層）２２と、他方の面に形成されたグランド（ＧＮＤ）パターン（ＧＮＤ層）２３とをそなえた構成を有しており、例えば、長さ及び幅が目的の通信周波数に応じた波長（例えば、１／２波長等）の方形形状に形成される。
【００２７】
なお、パッチアンテナ２の長さが共振周波数を決定し、幅が比帯域を決定する。また、アンテナパターン２２及びＧＮＤパターン２３は、それぞれ、銅箔等の導電性膜により形成される。さらに、パッチアンテナ２に用いる誘電体２１の比誘電率は、１以上であれば小型化を図ることができるので、特に比誘電率の大きさは指定しないが、値が大きいほど小型化を図ることが可能である。
【００２８】
以上のようにして、ＤＶＤ１の誘電体層１１内に無線タグ（パッチアンテナ２）を埋め込んでしまう構造とすることにより、リーダライタ等の読み取り機器によって、ＤＶＤ１を１枚１枚管理（生産管理や盗難防止等）することが可能となる。特に、本例では、パッチアンテナ２をＤＶＤ１自体に埋設しているので、従来のようにＤＶＤケース等の外装に取り付ける場合に比して、図１６及び図１７により後述するように数百枚から数千枚のＤＶＤ１を重ねた状態で一度に一括して読み取りを行なう読み取りシステム等の小型化を図ったり、ＤＶＤケース等からＤＶＤ１自体が抜き取られるような事態をも検知してセキュリティ面の向上を図ったりすることが可能となる。
【００２９】
なお、上述した例では、パッチアンテナ２を１つだけＤＶＤ１に取り付けているが、図１（Ａ）中に点線２ａで示すように、ダミーアンテナあるいは別のパッチアンテナを対称に設けるようにしてもよい。このようにすれば、ＤＶＤ１の重量バランス（回転バランス）をとることができ、回転ムラの発生を最小限に抑制することができる。また、ダミーアンテナではなく別のパッチアンテナを追加した場合は、通信容量を増加することも可能になる。このように回転バランス用のダミーアンテナや別のパッチアンテナを設けることができる点については、以降で参照する図２〜４及び図６に示す構造においても同様である。
【００３０】
（Ａ１）第１変形例の説明
図２は上述した第１実施形態の無線タグアンテナ構造の第１変形例を示す図で、本例においても、（Ａ）はディスク状の光記録媒体としてのＤＶＤの模式的平面図、（Ｂ）は（Ａ）に示すＤＶＤの模式的Ａ矢視断面図である。
この図２に示すように、本変形例のＤＶＤ１も、外観上はＣＤと同様の構成を有しており、内径１．５ｃｍ、例えば、外径（直径）１２ｃｍ、厚さ０．６ｍｍの２枚のディスクを接着剤により貼り合わせた構造、即ち、誘電体基板（誘電体層）１１（１１Ａ，１１Ｂ）の一方の面に光反射面として機能する反射層（金属層）１２（１２Ａ，１２Ｂ）が形成されて成る２枚のディスクを、光反射層１２同士が対向するように接着剤（接着層）１３により貼り合わせた構造を有している。なお、この図２においても、文字，音声，映像，画像，データ等の情報の記録が行なわれる記録層の図示は省略している。
【００３１】
また、誘電体基板１１（１１Ａ，１１Ｂ）も、それぞれ、図１により上述したものと同様に、上記の光反射層１２及び記録層を保護する保護層としても機能し、例えば、ポリカーボネイトやアクリル樹脂等のレーザ光に対して透明な透明樹脂材により形成され、情報読み取り用のレーザ光を反射する反射層１２（１２Ａ，１２Ｂ）も、それぞれ、例えば、銀や金等の合金材料により構成され、スパッタリング成膜法等により誘電体基板１１上に形成される。接着層１３についても、紫外線硬化樹脂を用いるのが一般的である。
【００３２】
そして、本変形例においても、図２（Ｂ）中に示すように、このＤＶＤ１の書き込み／読み取り面〔図２（Ｂ）では紙面下側〕とは反対側の印刷面（レーベル面）を構成する誘電体基板１１（１１Ａ）の一部領域に、パッチアンテナ（平面アンテナ）２′を収納するための窪み部（スペース）１１１が形成されるが、ここでは、反射層１２Ａが露出する深さにまで達するよう形成されている。
【００３３】
また、パッチアンテナ２′は、前記のパッチアンテナ２と異なり、誘電体２１の一方の面にアンテナパターン２２のみが形成され、他方の面にはＧＮＤパターン２３が形成されていない構造（平面型アンテナ部材）を有しており、この平面型アンテナ部材のＧＮＤパターン２３の形成されていない面が、反射層（金属層）１２Ａの露出面に接して配置されている。これにより、ＤＶＤ１の反射層１２Ａを、パッチアンテナ２′のＧＮＤパターンとして機能させることができる。
【００３４】
つまり、本変形例では、ＤＶＤ１の金属層１２Ａをパッチアンテナ２′のグランドパターンとする、図１（Ｂ）中に示したような面型アンテナ構造が構成されるよう、パッチアンテナ２′（アンテナパターン２２）が、ＤＶＤ１の誘電体層１１Ａの表面又は内部に形成される構造になっているのである。
これにより、アンテナパターン２２とＧＮＤパターン２３とを誘電体２１の両面に形成した、それのみでアンテナとしての機能を果たす（電気的特性が確保される）構造を有するパッチアンテナ２（図１参照）ではその厚みがＤＶＤ１の誘電体層１１の厚みを超えるような場合であっても、ＤＶＤ１の反射層１２をパッチアンテナ２′のＧＮＤパターンとして兼用にすることで、パッチアンテナ２′としての電気的特性を確保しつつ、ＤＶＤ１の誘電体層１１内に埋め込んでしまうことが可能となる。したがって、パッチアンテナ２′自体の小型化（薄型化）を図ることができ、コストも削減することができる。
【００３５】
なお、図２（Ｂ）では、窪み部１１１の深さがパッチアンテナ２′の厚みよりも深く、パッチアンテナ２′が完全に誘電体層１１Ａ内に埋設される状態を示しているが、アンテナパターン２２の表面が窪み部１１１以外の誘電体層１１Ａの表面と同一平面内に位置するよう、あるいは、当該表面に露出する状態で埋設されてもよい。また、図２（Ｂ）に示すように、パッチアンテナ２′が誘電体層１１Ａ内に完全に埋設される場合は、誘電体層１１Ａの表面が平らになるようパッチアンテナ２′の上から樹脂材等を充填して平面加工することが好ましい。
【００３６】
（Ａ２）第２変形例の説明
図３は本発明の第１実施形態の無線タグアンテナ構造の第２変形例を示す図で、本例においても、（Ａ）はディスク状の光記録媒体としてのＤＶＤの模式的平面図、（Ｂ）は（Ａ）に示すＤＶＤの模式的Ａ矢視断面図であるが、本例では、図１に示す構造に比して、ＤＶＤ１の誘電体層１１Ａに前記窪み部１１１は形成されず、ＧＮＤパターン２３の形成されていないパッチアンテナ２′（アンテナパターン２２）がその誘電体２１を介して、あるいは、直接、ＤＶＤ１の誘電体層１１Ａの表面に貼り付けられるとともに、当該パッチアンテナ２′と接続されるＩＣチップ２４が設けられるパッチアンテナ２′下部の誘電体層１１Ａに、ＤＶＤ１の反射層１２Ａに連通するスルーホール１１２が設けられている点が主に異なる。
【００３７】
なお、この図３において既述の符号と同一符号を付した部分は、いずれも特に断らない限り、既述のものと同一若しくは同様のものである。また、この図３において、誘電体２１を括弧書きで表記しているのは、パッチアンテナ２′が直接ＤＶＤ１の誘電体層１１Ａ表面に配置されることを意味しており、以降で参照する図４及び図５においても同じ意味である。
【００３８】
つまり、本例の構造は、ＤＶＤ１の誘電体層１１（１１Ａ）をパッチアンテナ２′の構成要素である誘電体として利用（兼用）するとともに、ＤＶＤ１の反射層１２（１２Ａ）を上記第１変形例と同様にパッチアンテナ２′の構成要素であるＧＮＤパターンとして利用（兼用）することで、パッチアンテナ２′としての電気的特性を確保できる構造になっているのである。
【００３９】
また、上記のスルーホール１１２は、その一端に上記ＩＣチップ２４のＧＮＤ端子（図示省略）が接続されることにより、ＤＶＤ１の反射層１２ＡとのＧＮＤ接続を可能にする役割を果たしている。つまり、本変形例におけるＤＶＤ１の反射層１２Ａは、パッチアンテナ２′のＧＮＤパターンとしての機能と、ＩＣチップ２４のＧＮＤ端子としての機能とを兼用しているのである。
【００４０】
かかる構造により、本変形例においては、誘電体２１の一方の面にアンテナパターン２２が形成されたパッチアンテナ構成要素を、誘電体２１の他方の面を下にしてＤＶＤ１の誘電体層１１（１１Ａ）に貼り付ける、あるいは、アンテナパターン２２のみを直接当該誘電体層１１（１１Ａ）に貼り付けるだけで、パッチアンテナ本来のアンテナ構造が構成されて本来の電気的特性が確保されるので、ＤＶＤ１のような薄型のディスク状光記録媒体に対しても容易に無線タグを取り付けることが可能である。
【００４１】
また、ＤＶＤ１の誘電体層１１（１１Ａ）に、ＩＣチップ２４のＧＮＤ端子とＤＶＤ１側の反射層（金属層）１２（１２Ａ）とをＧＮＤ接続するスルーホール１１２が設けられているので、ＩＣチップ２４に専用のＧＮＤパターンを設ける必要がなく、パッチアンテナ２′（無線タグ）の小型化にも大きく寄与し、ＤＶＤ１への実装面積も小さくすることが可能である。
【００４２】
（Ａ３）第３変形例の説明
図４は上述した第１実施形態の無線タグアンテナ構造の第３変形例を示す図で、本例においても、（Ａ）はディスク状の光記録媒体としてのＤＶＤの模式的平面図、（Ｂ）は（Ａ）に示すＤＶＤの模式的Ａ矢視断面図であるが、本例では、図１に示す構造に比して、図３により上述した構造を基本として、面型のＩＣチップ２４が、パッチアンテナ２′のアンテナパターン２２とＤＶＤ１の反射層１２Ａと直接に接するよう縦置き状態でＤＶＤ１の誘電体層１１Ａに埋設されている点が主に異なっている。
【００４３】
即ち、本例では第２変形例により上述したようなスルーホール１１２を用いずに、ＩＣチップ２４の側面に設けられている信号端子（図示省略）を、直接、アンテナパターン２２と電気的に接続するとともに、当該側面と反対側の側面に設けられているＧＮＤ端子を、直接、ＤＶＤ１の反射層１２Ａと電気的に接続しているのである。なお、本例においても、既述の符号と同一符号を付す部分は、既述のものと同一若しくは同様のものである。
【００４４】
かかる構造により、本変形例においても、第２変形例と同様の作用効果が得られるとともに、前述したスルーホール１１２を形成する必要がないので、加工が簡単である。
（Ａ４）第４変形例の説明
図５は上述した第１実施形態の無線タグアンテナ構造の第４変形例を示す図で、本例においても、（Ａ）はディスク状の光記録媒体としてのＤＶＤの模式的平面図、（Ｂ）は（Ａ）に示すＤＶＤの模式的Ａ矢視断面図であるが、本例では、図１に示す構造に比して、図４により上述した構造を基本として、パッチアンテナ２′のアンテナパターン２２（又はアンテナパターン２２及び誘電体２１）が、ＤＶＤ１の反射層１２（記録層）の形成された領域の一部又は全部をディスク円周に沿って帯状（輪帯状）に覆うように、ＤＶＤ１の誘電体層１１Ａ上に形成されるとともに、図３により前述したものと同様のスルーホール１１２がＤＶＤ１の誘電体層１１Ａ内に形成されている点が主に異なる。
【００４５】
つまり、本例の構造においても、ＤＶＤ１の誘電体層１１（１１Ａ）をパッチアンテナ２′の誘電体として利用するとともに、ＤＶＤ１の反射層１２（１２Ａ）を上記第１変形例と同様にパッチアンテナ２′の構成要素であるＧＮＤパターンとして利用（兼用）することで、パッチアンテナ２′の電気的特性を確保する構造になっているのである。
特に、本変形例の場合は、アンテナ面積を広くとることができるので、通信感度及び通信距離の向上が期待できる。加えて、本変形例においても、図３により前述した構造と同様に、ＤＶＤ１の反射層１２Ａに連通するスルーホール１１２により、パッチアンテナ２′と接続されるＩＣチップ２４のＧＮＤ端子をＤＶＤ１の反射層１２Ａに接続することで、ＩＣチップ２４のＧＮＤをＤＶＤ１の反射層１２Ａで兼用することができる。したがって、この場合も、ＩＣチップ２４に専用のＧＮＤパターンを設ける必要がなく、パッチアンテナ２′（無線タグ）の小型化にも大きく寄与し、ＤＶＤ１への実装面積も小さくすることが可能である。
【００４６】
なお、本変形例においても、図４により上述したように、ＩＣチップ２４をＤＶＤ１の誘電体層１１Ａ内に縦置き状態で埋め込む構造をとることも可能である。
（Ａ５）第５変形例の説明
図６は上述した第１実施形態の無線タグアンテナ構造の第５変形例を示す図で、本例においても、（Ａ）はディスク状の光記録媒体としてのＤＶＤの模式的平面図、（Ｂ）は（Ａ）に示すＤＶＤの模式的Ａ矢視断面図であるが、本変形例では、誘電体２１の一方の面にアンテナパターン２２、他方の面にＧＮＤパターン２３を形成したパッチアンテナ２を、ＤＶＤ１のレーベル面となる、反射層１２Ａの上部誘電体層１１Ａ表面に接着剤等で接着・固定した構造になっている。なお、この図６においても、既述の符号を付した部分は、いずれも、既述の符号と同一若しくは同様のものを示している。
【００４７】
このように、ＤＶＤ１のレーベル面側にパッチアンテナ２を取り付けることができるのは、ＣＤの場合に比べて、ＤＶＤ１ではレーベル面側の誘電体層１１Ａの厚みが読み取り面側の誘電体層１１Ｂと同程度の厚みを有しており、傷等に対する耐性が高いからである。
したがって、ＣＤに比して、ＤＶＤ１の反射層１２や記録層にダメージを与えることなく安全に、パッチアンテナ２を簡単にＤＶＤ１に取り付けることが可能である。よって、大量のＤＶＤ１を管理する必要がある場合でも、短期間で必要な管理を実現することが可能である。
【００４８】
〔Ｂ〕第２実施形態の説明
図７は本発明の第２実施形態としての光記録媒体用の無線タグアンテナ構造を説明するための図で、（Ａ）はディスク状の光記録媒体としてのＣＤの模式的平面図、（Ｂ）は（Ａ）に示すＣＤの模式的Ａ矢視断面図である。
この図７に示すように、ＣＤ３は、内径１．５ｃｍ、外径（直径）１２ｃｍ、厚さ０．６ｍｍというサイズで、一般に、図７（Ｂ）に示すように、誘電体基板（誘電体層）１１の一方の面に光反射面として機能する反射層（金属層）１２が形成され、その上にさらに保護層１４が形成されて構成されている。なお、この図７においても、情報の記録が行なわれる記録層の図示は省略している。
【００４９】
誘電体基板１１は、本実施形態においても、上記の反射層１２及び記録層を保護する保護層としても機能し、例えば、ポリカーボネイトやアクリル樹脂等のレーザ光を透過する透明樹脂材により形成される。
反射層１２は、情報読み取り用のレーザ光を反射する層で、例えば、銀や金等の合金材料により構成され、スパッタリング成膜等により誘電体基板１１上に形成される。
【００５０】
保護層１４は、その表面にレーベル等が印刷される印刷面であり、誘電体基板１１の厚さよりも非常に薄く、そのために、前述したように、この保護層１４側に傷を受けると誘電体基板１１側よりも反射層１２や記録層にダメージを受け易いのが一般的である。したがって、ＣＤ３の場合は、レーベル面にアンテナを形成するのは好ましくない。
そこで、本実施形態では、図７（Ｂ）中に示すように、反射層１２（記録層）の形成されていない、最大直径を反射層１２の内径以内、最小直径を誘電体基板１１の内径以上とする誘電体内周部１５（斜線部参照）にアンテナ４を形成する。即ち、例えば、この図７（Ｂ）に示すように、誘電体内周部（以下、単に「内周部」という）１５にアンテナ４の一部又は全部を埋め込むスペース（溝部）を設けて、当該スペースにアンテナ４を取り付けるようにする。かかる構造は、既述のＤＶＤ１にも同様に適用できる。また、ＤＶＤ１の場合は、例えば図８に示すように、２つの反射層１２Ａ，１２Ｂ間（つまり、接着層１３）に、アンテナ４を埋め込むスペースを設けて、当該スペースにアンテナ４を埋め込んでしまう構造にすることもできる。
【００５１】
なお、図７及び図８において、アンテナ４のサイズや形状については特定していないため、図７（Ａ）及び図８（Ａ）に示す模式的平面図においてはアンテナ４の図示は省略している〔図７（Ｂ）及び図８（Ｂ）に示す模式的Ａ矢視断面図においてアンテナ４の取り付け箇所の例のみを特定している〕。
以上のように、ＤＶＤ１やＣＤ３の反射層（金属層）１２の形成されていない内周部１５にアンテナ４の一部又は全部を埋め込む構造にすることで、ＤＶＤ１やＣＤ３の反射層（金属層）１２上にアンテナ４を配置したときのような影響（磁界の乱れによる性能劣化）を最小限に抑制することができるので、アンテナ性能の劣化を抑制することができる。また、アンテナ４を内周部１５に設けることで、ＤＶＤ１やＣＤ３の回転安定性を維持することも可能である。
【００５２】
さらに、アンテナ４をＤＶＤ１やＣＤ３の内周部１５に完全に埋め込んでしまう構造では、後述するようにＤＶＤ１やＣＤ３の生産管理等においてこれらを何百枚と積み重ねて一度にリーダライタ等による読み取りを行なうような場合でも、余分なスペースがディスク間に生じないため、積み重ねた状態の全体の厚さをＤＶＤ１やＣＤ３本来の厚さ×枚数にすることができ、リーダライタシステムの大規模化を抑制することできる（同じシステムでより多くの枚数の読み取りを一度に行なうことが可能になる）。
【００５３】
以下、具体的なアンテナ４の形状等も含めてアンテナ４の取り付け構造について、より詳細に説明する。
（Ｂ１）モノポールアンテナの場合
図９は図７に示すアンテナ取り付け構造を前提として、アンテナ４にモノポールアンテナを適用した場合を示す図で、（Ａ）はディスク状の光記録媒体としてのＣＤの模式的平面図、（Ｂ）は（Ａ）に示す模式的Ａ矢視断面図である。
【００５４】
この図９に示すように、本例では、アンテナ４として、アンテナ線路をＣＤ３の内周に沿って円弧状に曲げ成形した（アンテナ線路が上記内周に沿って一方向に延在する）モノポールアンテナを適用しており、当該モノポールアンテナ４を図７により前述したごとく内周部１５に形成したスペースにその一部又は全部を埋め込んでいる。具体的に、この図９では、誘電体基板１１の内周部１５上面にモノポールアンテナ４とＩＣチップ２４とを接着・固定し、ＩＣチップ２４のＧＮＤ端子（図示省略）をＣＤ３の反射層（金属層）１２に接続する構造とする。つまり、この場合、ＣＤ３の反射層（金属層）１２は、ＩＣチップ２４のＧＮＤを兼用する。
【００５５】
（Ｂ２）ダイポールアンテナの場合
図１０は図７に示すアンテナ取り付け構造を前提として、アンテナ４にダイポールアンテナを適用した場合を示す図で、（Ａ）はディスク状の光記録媒体としてのＣＤの模式的平面図、（Ｂ）は（Ａ）に示す模式的Ａ矢視断面図である。
この図１０に示すように、本例では、ＣＤ３（又はＤＶＤ１）の内周部１５に埋め込むアンテナ４として、小型のダイポールアンテナのアンテナ線路を部分的に折り返すとともに、外周側のアンテナ線路幅を内周側のアンテナ線路幅よりも太く成形した折り返しダイポールアンテナを適用している。なお、この図１０においても、既述の符号と同一符号を付した部分は、それぞれ、既述のものと同一若しくは同様のものである。
【００５６】
ここで、このように折り返しダイポールアンテナを適用するのは、主として、ＩＣチップ２４とのインピーダンスマッチングをとるためである。即ち、通常、アンテナ線路部分のインピーダンスよりも無線タグ用のＩＣチップ２４のインピーダンスの方が高いため、アンテナ線路部分を図９に示すような単純な円弧状としただけでは、受信情報がＩＣチップに正しく伝達されないので、アンテナ線路部分のインピーダンスを高くしてＩＣチップ２４のインピーダンスと同程度になるようにする必要がある。
【００５７】
そこで、本例では、上述のごとく、ダイポールアンテナの両アンテナ線路を、円輪の一部が寸断されるような状態で折り返してＩＣチップ２４を中心としたループ形状が形成されるようにして（このとき、アンテナ線路同士が重ならないようにする）アンテナ線路長を稼ぐとともに、外周側のアンテナ線路幅を内周側のアンテナ線路幅よりも太く成形することにより、通常のダイポールアンテナの４倍程度以上にインピーダンスを高めるようにしている。
【００５８】
これにより、アンテナ線路部分のインピーダンスをＩＣチップのインピーダンスと同程度になるよう大きくして、アンテナ線路部分とＩＣチップ２４とのインピーダンスマッチングをとることができ、無線タグアンテナとして必要な性能（電気的特性）を確保することができる。
また、本例の構造では、図１６及び図１７により後述するようにＣＤ３の生産管理等において一括読み取りのためにＣＤ３を多数積み重ねると、それぞれのアンテナ４の両面側に誘電体層１１が密接して位置することになるので、アンテナ線路周囲の実効誘電率が空気の場合よりも高くなり、受信信号の波長短縮を図ることができ、必要なアンテナ線路長をＣＤ３（ＤＶＤ１）単体で読み取る場合に比して短くすることも可能である。
【００５９】
なお、上記のアンテナ線路の折り返し数は２回以上にしてもよい。また、ＣＤ３（又はＤＶＤ１）単体でも十分な読み取りを可能とするために、よりアンテナ線路長を長く確保したい場合には、例えば図１１に示すように、アンテナ線路を波線状に曲げ成形することにより、本例のようにアンテナ４の取り付け箇所（内周部１５）に面積的な制約がある場合であっても、必要なアンテナ線路長を確保することができる。この場合も、図１０の場合と同様に、内周側のアンテナ線路幅よりも外周側のアンテナ線路幅を太くしてインピーダンスを稼いでいる。
【００６０】
（Ｂ３）変形例の説明
図１０（図１１）により上述したように、折り返し（波線状）ダイポールアンテナ４をＣＤ３やＤＶＤ１の内周部１５に設ける場合は、ＩＣチップ２４の配置箇所と対称な部分に、ＣＤ３やＤＶＤ１の重量バランス（回転バランス）を保つために、例えば図１２に示すように、ダミーチップ２５（あるいは、ダミーではなく別のＩＣチップ）を設けてもよい。また、図１３に示すように、アンテナ線路部分又はＩＣチップ２４が設けられて重量が重くなる部分付近の内周部１５の基板に穴（重量バランス調整用穴）１６を１つ以上あけて、その部分を軽量化することにより、ＤＶＤ１又はＣＤ３の回転バランスを保つようにすることもできる。
【００６１】
さらに、上記のアンテナ４（アンテナ線路）は、例えば図１４の模式的断面図に示すように、アンテナ金属部４１と、このアンテナ金属部４１の両面（又は一方の面）に誘電体部（アンテナ誘電体部）４２を形成した構造のものにしてもよい。
このようにアンテナ金属部４１の両面又は一方の面に誘電体部４２を形成することにより、この場合も、受信信号の波長短縮が図れ、必要なアンテナ線路長を短縮してアンテナの小型化を実現することができる。例えば、ＤＶＤ１やＣＤ３の誘電体であるポリカーボネイトは、比誘電率εr＝２．９４であるので、それよりも大きな比誘電率をもつ誘電体をアンテナ金属部４１の両面又は一方の面に形成することにより、ポリカーボネイトをアンテナ４の誘電体として用いる場合よりも小型化を図ることができる。
【００６２】
具体的には、例えば、アルミナ（比誘電率＝１０）を厚さ０．６ｍｍ程度でアンテナ金属部４１の両面に形成した場合、ＤＶＤ１やＣＤ３のポリカーボネイト（比誘電率=2.94）を誘電体とする場合よりも、アンテナサイズを０．７倍程度に小型化することができる。
他に、例えば図１５に模式的に示すように、ＤＶＤ１やＣＤ３の収納ケース（商品ケース）５の蓋６の中央（蓋６を閉じた時にＤＶＤ１又はＣＤ３の内周部１５と一致する蓋６の内面）に空気の比誘電率（εr＝１）よりも大きな比誘電率をもつ誘電体６１を形成することにより、ＤＶＤ１又はＣＤ３を収納ケース５に収納して蓋６を閉じれば、内周部１５に設けられたアンテナ４の上面に誘電体６１が密接するので、この場合も、アンテナサイズの小型化を図ることができる。この場合は、誘電体６１の比誘電率が１よりも大きければ、アンテナサイズの小型化が可能なので、特に比誘電率の大きさは指定しないが、値が大きいほど小型化を図ることが可能である。例えば、厚さ２ｍｍのアルミナ（比誘電率＝１０）を誘電体６１として蓋６の内面に形成した場合、形成しない場合（空気）に比して、アンテナサイズを０．６３倍程度に小型化することができる。
【００６３】
なお、誘電体６１は、蓋６ではなく収納ケース５側のＤＶＤ１（ＣＤ３）の内周部１５と一致する部分（ケース底面）に形成してもよいし、蓋６及び収納ケース５側の双方に形成してもよい。双方に形成した場合は、さらなるアンテナサイズの小型化が期待できる。
このようにして、アンテナサイズの小型化を図ることにより、内周部１５に設けるアンテナパターン（形状）の自由度を向上できるというメリットがある。また、アンテナパターンを内周部１５の中央寄りに小さく形成することにより、ＤＶＤ１やＣＤ３の反射層１２や記録層（金属層）から遠ざけることができるため、金属層のアンテナ４への影響を極力小さくすることができるというメリットもある。
【００６４】
なお、ＤＶＤ１やＣＤ３の内周部１５に設ける小型アンテナ４としては、他に、例えば、フラクタルアンテナや、スパイラルアンテナ、ログペリアンテナ等を適用することも、勿論、可能である。
〔Ｃ〕無線タグ（アンテナ）付きＤＶＤ１（ＣＤ３）の一括読み取りの説明
近年、生産、流通分野などにおいて、部品や在庫の管理システムとして、無線タグの活用が提案されているが、ＤＶＤ１やＣＤ３などの光記録媒体の生産、流通を管理する場合、大量に積み重なってＤＶＤ１やＣＤ３に取り付けられた無線タグをできるだけ多く一度に一括して読み取れるようにする要望がある。しかし、大量のＤＶＤ１やＣＤ３が積み重なっていると、ＤＶＤ１やＣＤ３の反射層１２や記録層等の金属層の影響で読み取りシステムの構成が複雑になるおそれがある。
【００６５】
そこで、例えば図１６に模式的に示すようなリーダ／ライタアンテナシステム７を用意する。このアンテナシステム７は、ＤＶＤ１やＣＤ３等のディスク状光記録媒体の中心に設けられた穴部の直径よりも小さい直径を有する中空円筒形状のホルダ（導波管）７１をそなえており、このホルダ７１に多量のＤＶＤ１やＣＤ３をその中心軸を揃えて積み重ねることができるようになっている。
【００６６】
ここで、ホルダ７１は、その全体又はその外面又は内面が導電体であり、その長手方向に直線〔図１７（Ａ）参照〕又は斜め〔図１７（Ｂ）参照〕又は螺旋状〔図１７（Ｃ）参照〕に約λ／２の細い切り込み（スロット）が形成されることにより、スロットアンテナ７２が構成されている。
そして、このスロットアンテナ７２を介して、ホルダ７１に積み重ねられたＤＶＤ１やＣＤ３の無線タグ（前記のアンテナ２，２′又は４）と通信を行なうことにより、多量のＤＶＤ１やＣＤ３の一括読み取りを行なって短時間に多量のＤＶＤ１やＣＤ３の認証（生産、流通管理）を行なうことが可能となる。
【００６７】
本アンテナシステム７では、ＤＶＤ１やＣＤ３の中心の穴部から無線タグと通信を行なうので、ＤＶＤ１やＣＤ３の反射層１２や記録層等の金属層の影響を低減することができ、読み取り性能を向上することが可能である。
なお、本発明は、上述した実施形態に限定されず、本発明の趣旨を逸脱しない範囲で種々変形して実施できることはいうまでもない。
【００６８】
〔Ｄ〕付記
（付記１）
光記録媒体用の無線タグアンテナ構造であって、
誘電体と、
該誘電体の一方の面に形成されたアンテナパターンと、
該誘電体の他方の面に形成され、レーザ光を反射する金属層と該金属層を保護する誘電体層とを対称に有する光記録媒体のレーザ光非入射面側に取り付けられるグランドパターンとをそなえたことを特徴とする、光記録媒体用の無線タグアンテナ構造。
【００６９】
（付記２）
光記録媒体用の無線タグアンテナ構造であって、
誘電体と、該誘電体の一方の面に形成されたアンテナパターンと、該誘電体の他方の面に形成されたグランドパターンとをそなえて成るアンテナをそなえ、
該アンテナの一部又は全部が、レーザ光を反射する金属層と該金属層を保護する誘電体層とを対称に有する光記録媒体のレーザ光非入射面側の該誘電体層に埋め込まれることを特徴とする、光記録媒体用の無線タグアンテナ構造。
【００７０】
（付記３）
誘電体の一方の面にアンテナパターンをそなえるとともに、該誘電体の他方の面にグランドパターンをそなえることによりアンテナ構造を構成し、レーザ光非入射面側に誘電体層と金属層とを有する光記録媒体に取り付けられる光記録媒体用の無線タグアンテナ構造であって、
該光記録媒体の該金属層を該グランドパターンとする該アンテナ構造が構成されるべく、該アンテナパターンが、該光記録媒体の該誘電体層の表面又は内部に形成されることを特徴とする、光記録媒体用の無線タグアンテナ構造。
【００７１】
（付記４）
該誘電体の一方の面に該アンテナパターンが形成された平面型アンテナ部材を有し、
該平面型アンテナ部材の該誘電体の他方の面が該光記録媒体の該金属層と接するよう、該平面型アンテナ部材が該光記録媒体の該誘電体層に埋め込まれることを特徴とする、付記３記載の光記録媒体用の無線タグアンテナ構造。
【００７２】
（付記５）
該アンテナと接続されるべき通信回路チップが、そのグランド端子が該光記録媒体の該誘電体層に設けられたスルーホールを介して該光記録媒体の該金属層と接続するよう、該光記録媒体の誘電体層の表面に構成されることを特徴とする、付記３記載の光記録媒体用の無線タグアンテナ構造。
【００７３】
（付記６）
該アンテナと接続されるべき通信回路チップが、そのグランド端子が該光記録媒体の該金属層と接続するよう、該通信回路チップが該光記録媒体の該誘電体層に埋め込まれることを特徴とする、付記３記載の光記録媒体用の無線タグアンテナ構造。
（付記７）
該アンテナパターンが、該光記録媒体としてのディスク状媒体においてリング状に形成されている該金属層の一部又は全部を覆う同心円形状を有し、該ディスク状媒体の表面に直接又は誘電体を介して形成されることを特徴とする、付記３記載の光記録媒体用の無線タグアンテナ構造。
【００７４】
（付記８）
該アンテナパターンが、該光記録媒体としてのディスク状媒体においてリング状に形成されている該金属層の一部又は全部を覆う同心円形状を有し、該ディスク状媒体の該誘電体層に埋め込まれていることを特徴とする、付記３記載の光記録媒体用の無線タグアンテナ構造。
【００７５】
（付記９）
誘電体層と金属層とを有するディスク状の光記録媒体に取り付けられる無線タグ用のアンテナ構造であって、
該光記録媒体における該金属層が形成されていない誘電体層部分にアンテナの一部又は全部が埋め込まれることを特徴とする、光記録媒体用の無線タグアンテナ構造。
【００７６】
（付記１０）
該ディスク状の光記録媒体が、接着層を中心に該誘電体層と該金属層とを対称に有して構成され、該光記録媒体における該金属層が形成されていない該接着層内に該アンテナが埋め込まれることを特徴とする、付記９記載の光記録媒体用の無線タグアンテナ構造。
（付記１１）
該アンテナが、該ディスク状の光記録媒体の内周部の該誘電体層部分に設けられることを特徴とする、付記９記載の光記録媒体用の無線タグアンテナ構造。
【００７７】
（付記１２）
該アンテナが、該ディスク状の光記録媒体の内周部の該接着層内に埋め込まれることを特徴とする、付記１０記載の光記録媒体用の無線タグアンテナ構造。
（付記１３）
該アンテナが、該ディスク状の光記録媒体の内周に沿った曲線形状を有する曲線状アンテナとして構成されたことを特徴とする、付記１１又は１２に記載の光記録媒体用の無線タグアンテナ構造。
【００７８】
（付記１４）
該曲線状アンテナと接続されるべき通信回路チップが、そのグランドが該光記録媒体の該金属層と接続するよう、該光記録媒体の内周部に設けられることを特徴とする、付記１３記載の光記録媒体用の無線タグアンテナ構造。
（付記１５）
該曲線状アンテナが該ディスク状の光記録媒体の前記内周に沿って一方向にアンテナ線路が延在するモノポールアンテナとして構成されたことを特徴とする、付記１３又は１４に記載の光記録媒体用の無線タグアンテナ構造。
【００７９】
（付記１６）
該曲線状アンテナが、該ディスク状の光記録媒体の前記内周に沿って両方向にアンテナ線路が延在するダイポールアンテナとして構成されたことを特徴とする、付記１３又は１４に記載の光記録媒体用の無線タグアンテナ構造。
（付記１７）
該ダイポールアンテナが、該ディスク状の光記録媒体の前記内周に沿って該アンテナ線路を部分的に折り返した折り返しダイポールアンテナとして構成されたことを特徴とする、付記１６記載の光記録媒体用の無線タグアンテナ構造。
【００８０】
（付記１８）
該折り返しダイポールアンテナの外周側のアンテナ線路幅が内周側のアンテナ線路幅よりも太く構成されたことを特徴とする、付記１７記載の光記録媒体用の無線タグアンテナ構造。
（付記１９）
該アンテナ線路が、波状に成形されていることを特徴とする、付記１６〜１８のいずれか１項に記載の光記録媒体用の無線タグアンテナ構造。
【００８１】
（付記２０）
該通信回路チップの配置位置と対称な前記内周部の位置に、該ディスク状の光記録媒体の回転バランスを保つためのダミーチップ又は別の通信回路チップが設けられることを特徴とする、付記１４記載の光記録媒体用の無線タグアンテナ構造。
（付記２１）
該通信回路チップの配置位置近傍の前記内周部に、該ディスク状の光記録媒体の回転バランスを保つための穴部が設けられることを特徴とする、付記１４記載の光記録媒体用の無線タグアンテナ構造。
【００８２】
（付記２２）
該アンテナが、アンテナ金属部と、当該アンテナ金属部の一方又は両方の面に形成された、該光記録媒体の該誘電体層の比誘電率よりも大きな比誘電率を有するアンテナ誘電体部とを有して構成されたことを特徴とする、付記９〜２１のいずれか１項に記載の光記録媒体用の無線タグアンテナ構造。
【００８３】
（付記２３）
誘電体層と金属層とを有し、該金属層が形成されていない誘電体層部分に無線タグ用のアンテナが取り付けられた光記録媒体を収納する収納ケースであって、
該光記録媒体を収納したときの、該アンテナが設けられた部分に相当するケース内面に誘電体が設けられたことを特徴とする、無線タグアンテナ付き光記録媒体の収納ケース。
【産業上の利用可能性】
【００８４】
以上詳述したように、本発明によれば、簡易で簡易かつ小型で必要な読み取り特性も確保可能な、光記録媒体用の無線タグアンテナ構造を提供することができるので、無線タグを利用した光記録媒体の生産管理や商品管理、盗難防止等の技術分野にとって極めて有用と考えられる。
【図面の簡単な説明】
【００８５】
【図１】本発明の第１実施形態としての光記録媒体用の無線タグアンテナ構造を説明するための図で、（Ａ）はディスク状の光記録媒体としてのＤＶＤ（Digital Versatile Disk）の模式的平面図、（Ｂ）は（Ａ）に示すＤＶＤの模式的Ａ矢視断面図である。
【図２】第１実施形態の無線タグアンテナ構造の第１変形例を示す図で、（Ａ）はディスク状の光記録媒体としてのＤＶＤの模式的平面図、（Ｂ）は（Ａ）に示すＤＶＤの模式的Ａ矢視断面図である。
【図３】第１実施形態の無線タグアンテナ構造の第２変形例を示す図で、（Ａ）はディスク状の光記録媒体としてのＤＶＤの模式的平面図、（Ｂ）は（Ａ）に示すＤＶＤの模式的Ａ矢視断面図である
【図４】第１実施形態の無線タグアンテナ構造の第３変形例を示す図で、（Ａ）はディスク状の光記録媒体としてのＤＶＤの模式的平面図、（Ｂ）は（Ａ）に示すＤＶＤの模式的Ａ矢視断面図である。
【図５】第１実施形態の無線タグアンテナ構造の第４変形例を示す図で、（Ａ）はディスク状の光記録媒体としてのＤＶＤの模式的平面図、（Ｂ）は（Ａ）に示すＤＶＤの模式的Ａ矢視断面図である。
【図６】第１実施形態の無線タグアンテナ構造の第５変形例を示す図で、（Ａ）はディスク状の光記録媒体としてのＤＶＤの模式的平面図、（Ｂ）は（Ａ）に示すＤＶＤの模式的Ａ矢視断面図である。
【図７】本発明の第２実施形態としての光記録媒体用の無線タグアンテナ構造を説明するための図で、（Ａ）はディスク状の光記録媒体としてのＣＤの模式的平面図、（Ｂ）は（Ａ）に示すＣＤの模式的Ａ矢視断面図である。
【図８】本発明の第２実施形態としての光記録媒体用の他の無線タグアンテナ構造を説明するための図で、（Ａ）はディスク状の光記録媒体としてのＤＶＤの模式的平面図、（Ｂ）は（Ａ）に示すＣＤの模式的Ａ矢視断面図である。
【図９】図７に示すアンテナ取り付け構造を前提としてモノポールアンテナを適用した場合を示す図で、（Ａ）はディスク状の光記録媒体としてのＣＤの模式的平面図、（Ｂ）は（Ａ）に示す模式的Ａ矢視断面図である。
【図１０】図７に示すアンテナ取り付け構造を前提としてダイポールアンテナを適用した場合を示す図で、（Ａ）はディスク状の光記録媒体としてのＣＤの模式的平面図、（Ｂ）は（Ａ）に示す模式的Ａ矢視断面図である。
【図１１】図１０に示すアンテナの変形例を示す模式的平面図である。
【図１２】図１０に示す構造においてダミーチップ（又は、別のＩＣチップ）を設けた構造を示す模式的平面図である。
【図１３】図１０に示す構造においてＩＣチップ近傍の誘電体内周部に重量バランス調整用穴を設けた構造を示す模式的平面図である。
【図１４】図９〜図１３で誘電体内周部に設けられるアンテナ自体の構造を示す模式的断面図である。
【図１５】ＤＶＤ又はＣＤの収納ケースにＤＶＤ又はＣＤに設けたアンテナのための誘電体を取り付けた状態を示す模式的外観図である。
【図１６】第１及び第２実施形態に係るリーダ／ライタアンテナシステムを示す模式図である。
【図１７】（Ａ）〜（Ｃ）はいずれも図１６に示すホルダに形成されるスロット（アンテナ）の形状を示す模式図である。
【図１８】既存のダイポールアンテナの構成を示す平面図である。
【符号の説明】
【００８６】
１  ＤＶＤ（光記録媒体）
１１，１１Ａ，１１Ｂ  誘電体基板（誘電体層）
１２，１２Ａ，１２Ｂ  反射層（光反射面）
１３  接着剤（接着層）
１４  保護層
１５  誘電体内周部
１６  重量バランス調整用穴
２，２′  パッチアンテナ（平面アンテナ）
２１  誘電体
２２  平面アンテナパターン（アンテナ層）
２３  平面グランド（ＧＮＤ）パターン（ＧＮＤ層）
２４  ＩＣチップ
２５  ダミーチップ
３  ＣＤ
４  アンテナ
５  収納ケース（商品ケース）
６  蓋
６１  誘電体
７  リーダ／ライタアンテナシステム７
７１  ホルダ（導波管）
７２  スロットアンテナ
１１２  スルーホール
【図１】
2006031766.tif 000003
【図２】
2006031766.tif 000004
【図３】
2006031766.tif 000005
【図４】
2006031766.tif 000006
【図５】
2006031766.tif 000007
【図６】
2006031766.tif 000008
【図７】
2006031766.tif 000009
【図８】
2006031766.tif 000010
【図９】
2006031766.tif 000011
【図１０】
2006031766.tif 000012
【図１１】
2006031766.tif 000013
【図１２】
2006031766.tif 000014
【図１３】
2006031766.tif 000015
【図１４】
2006031766.tif 000016
【図１５】
2006031766.tif 000017
【図１６】
2006031766.tif 000018
【図１７】
2006031766.tif 000019
【図１８】
2006031766.tif 000020